(57)【要約】 【課題】  異径の円板状体が混合された円板状体混合物を、高速で選別することができる円板状体混合物の選別装置を提供する。【解決手段】  選別装置は、円板状体を一段の列の状態で搬送する搬送ベルトと、該搬送ベルトの送出側端部に配置された弾発機構とを備える。弾発機構は、円板状体の径より狭い間隔で配置されコイルバネ２４により相互に接近する方向に付勢された一対の可動体２５を有する。可動体２５は、円板状体の通過時に付勢に抗して拡開され、円板状体の最大横幅部位が通過して元の状態に瞬時に戻る時に、円板状体に拡開幅に対応する弾発力を付与するので、これによって、大径の円板状体は遠くに、小径の円板状体は近くに弾き出すことができる。【選択図】    図５
2007068909.tif 000002
【特許請求の範囲】
【請求項１】
異径の円板状体混合物を、搬送面に所要間隔で設けた隆起部間に受け入れて、一段一列もしくは一段複数列の状態で搬送する搬送ベルトと、
該搬送ベルトの送出側端部に配置されて、円板状体にその径に対応する大きさの弾発力を付与して弾き出す弾発機構とを備えていて、
異径の円板状体混合物を、弾き出された飛距離の差によって選別するようにしたことを特徴とする異径の円板状体混合物の選別装置。
【請求項２】
弾発機構は、所要間隔をおいて配置されて相互に接近する方向に付勢された一対の可動体を有し、
該可動体は、円板状体がその間に一枚ずつ隆起部で押し込まれながら通過する時に付勢に抗して拡開され、該円板状体の最大横幅部位が通過して元の状態に復帰する時に、円板状体に拡開幅に対応する弾発力を付与することにより、
大径の円板状体は遠くに、小径の円板状体は近くに弾き出すようにしたことを特徴とする請求項１に記載の異径の円板状体混合物の選別装置。
【請求項３】
弾発機構は、固定体と、該固定体から所要間隔をおいて配置されて固定体の方向に付勢された可動体とを有し、
該可動体は、円板状体が固定体と可動体との間に一枚ずつ隆起部で押し込まれながら通過する時に付勢に抗して固定体から拡開され、該円板状体の最大横幅部位が通過して元の状態に復帰する時に、円板状体に拡開幅に対応する弾発力を付与することにより、
大径の円板状体は遠くに、小径の円板状体は近くに弾き出すようにしたことを特徴とする請求項１に記載の異径の円板状体混合物の選別装置。
【請求項４】
可動体を、可動軸にローラを備えたものとしたことを特徴とする請求項２または３に記載の異径の円板状体混合物の選別装置。
【請求項５】
固定体を、固定軸、または固定軸にローラを備えたものとしたことを特徴とする請求項２〜４の何れかに記載の異径の円板状体混合物の選別装置。
【請求項６】
搬送ベルトに、受け入れた円板状体を一段に均すための均し手段を設けたことを特徴とする請求項１に記載の異径の円板状体混合物の選別装置。
【請求項７】
搬送ベルトの受入れ側端部に異径の円板状体混合物を搬送ベルトに送出するためのホッパーを配設し、該ホッパーの底面と搬送ベルトの搬送面との間に円板状体一枚分の厚み寸法より大きく二枚分の厚み寸法よりも小さい隙間を設けて、ホッパーの底面を均し手段としたことを特徴とする請求項６に記載の異径の円板状体混合物の搬送装置。
【請求項８】
隆起部の高さを円板状体の厚み寸法と同等以下としたうえに、搬送ベルトの途中にフレームを配設し、このフレームと搬送ベルトの搬送面との間に円板状体一枚分の厚み寸法より大きく二枚分の厚み寸法よりも小さい隙間を設けて、フレームを均し手段としたことを特徴とする請求項６に記載の異径の円板状体混合物の選別装置。
【請求項９】
搬送ベルトの前方に、選別された円板状体を収容するための分別貯留タンクを備えたことを特徴とする請求項１に記載の円板状体混合物の選別機構。
【請求項１０】
円板状体は、遊技機に使用される遊技媒体であることを特徴とする請求項１に記載の異径の円板状体の選別装置。
【請求項１１】
搬送ベルトが、遊技機設置島内に配設した遊技媒体回収装置に連結されていることを特徴とする請求項１に記載の異径の円板状体混合物の選別装置。
【発明の詳細な説明】
【技術分野】
【０００１】
本発明は、異径の円板状体が混合された円板状体混合物を径ごとに選別するための、異径の円板状体混合物の選別装置に関するものである。
【背景技術】
【０００２】
異径の円板状体混合物の選別装置として、例えば特許文献１に開示されているようなものがある。当該開示に係るものは、大小２種類のメダルを分別するための振分け装置を備えており、その振分け装置は、メダル搬送路の途中に小径のメダルのみが落下可能な隙間が形成されているので、２種類が混在したメダルを搬送路を通過させることによって、大小のメダルに分別することができる。しかし、このような方式のものにおいてメダルを遠心力などで加速して隙間を通過させた場合には、小径のメダルも隙間を飛び越えてしまい選別することができないので、選別速度を十分上げることができない。また、隙間の幅によって選別寸法が区画されるので、メダルの径が変動した場合には新たに幅を調整する必要があるなどの問題があった。
【特許文献１】特開２００２−１４３３８６号公報  (図７)
【発明の開示】
【発明が解決しようとする課題】
【０００３】
本発明は上記した従来の問題点を解決して、円板状体の径が変動した場合にも何ら調整を必要とせず、円板状体混合物を高速にて選別することができる異径の円板状体混合物の選別装置を提供することを課題とする。
【課題を解決するための手段】
【０００４】
上記の課題を解決するためになされた本発明の異径の円板状体混合物の選別装置は、
異径の円板状体混合物を、搬送面に所要間隔で設けた隆起部間に受け入れて、一段一列もしくは一段複数列の状態で搬送する搬送ベルトと、
該搬送ベルトの送出側端部に配置されて、円板状体にその径に対応する大きさの弾発力を付与して弾き出す弾発機構とを備えていて、
異径の円板状体混合物を、弾き出された飛距離の差によって選別するようにしたことを特徴とするものである。
【０００５】
上記した発明において、弾発機構は、所要間隔をおいて配置されて相互に接近する方向に付勢された一対の可動体を有し、
該可動体は、円板状体がその間に一枚ずつ隆起部で押し込まれながら通過する時に付勢に抗して拡開され、該円板状体の最大横幅部位が通過して元の状態に復帰する時に、円板状体に拡開幅に対応する弾発力を付与することにより、
大径の円板状体は遠くに、小径の円板状体は近くに弾き出すようにしたことを特徴とするものである。
また、弾発機構は、固定体と、該固定体から所要間隔をおいて配置されて固定体の方向に付勢された可動体とを有し、
該可動体は、円板状体が固定体と可動体との間に一枚ずつ隆起部で押し込まれながら通過する時に付勢に抗して固定体から拡開され、該円板状体の最大横幅部位が通過して元の状態に復帰する時に、円板状体に拡開幅に対応する弾発力を付与することにより、
大径の円板状体は遠くに、小径の円板状体は近くに弾き出すようにしたことを特徴とするものである。
なお、上記可動体を、可動軸にローラを備えたものとすることができるし、固定体を、固定軸とすることも、あるいは固定軸にローラを備えたものとすることもできる。
【０００６】
そして、搬送ベルトに、受け入れた円板状体を一段に均すための均し手段を設けることができる。
搬送ベルトの受入れ側端部に異径の円板状体混合物を搬送ベルトに送出するためのホッパーを配設し、該ホッパーの底面と搬送ベルトの搬送面との間に円板状体一枚分の厚み寸法より大きく二枚分の厚み寸法よりも小さい隙間を設けて、ホッパーの底面を均し手段とすることができ、
また、隆起部の高さを円板状体の厚み寸法と同等以下としたうえに、搬送ベルトの途中にフレームを配設し、このフレームと搬送ベルトの搬送面との間に円板状体一枚分の厚み寸法より大きく二枚分の厚み寸法よりも小さい隙間を設けて、フレームを均し手段とすることもできる。
【０００７】
さらに、搬送ベルトの前方に、選別された円板状体を収容するための分別貯留タンクを備えることができる。
また、円板状体を、遊技機に使用される遊技媒体とすることができ、
搬送ベルトを、遊技機設置島内に配設した遊技媒体回収装置に連結することもできる。
【発明の効果】
【０００８】
本発明の異径の円板状体混合物の選別装置は、円板状体混合物を一段の列にして搬送ベルトにより搬送し、搬送ベルトの端部に配設された弾発機構に押し込んで、円板状体混合物に円板状体の径に対応する大きさの弾発力を付与して弾き出すので、異径の円板状体混合物を、弾き出された飛距離の差によって選別することができる。
弾発機構を、相互に接近する方向に付勢された一対の可動体を有するものとすることによって、円板状体の通過時に付勢に抗して拡開された可動体が、円板状体の最大直径部位が通過して元の状態に瞬時に復帰する時に、円板状体に拡開幅に対応する弾発力を付与するので、大径の円板状体は遠くに、小径の円板状体は近くに弾き出すことができる。
弾発機構を、固定体と、この固定体の方向に付勢される可動体とを有するものとしても、可動体が復帰する時に円板状体に拡開幅に対応する弾発力を付与することができる。
【発明を実施するための最良の形態】
【０００９】
以下に図面を参照しつつ本発明の好ましい実施形態を説明する。
図１〜４は、本発明の円板状体混合物の選別装置を示す図であって、１はホッパー、２はホッパー１から受け入れた円板状体混合物を搬送する搬送ベルトであって、この搬送ベルト２は３０°程度の角度でもって斜め上方に傾斜している。搬送ベルト２は、ホッパー１の配設された低位側端部から他方の上位側端部に円板状体混合物を搬送する。円板状体混合物は少なくとも径の異なる２種の円板状体が混合されたものである。また、３は円板状体混合物を弾き出す選別機構、４は分別された大小の円板状体を回収するための分別貯留タンクである。なお、搬送ベルト２は水平方向に向けることができる。
【００１０】
ホッパー１は、搬送ベルト２の横幅と同程度の幅を有し、その下部には搬送ベルト２上に複数のレーン２１を形成するための仕切り壁５が配設されている。ホッパー１に投入された円板状体混合物は、仕切り壁５によって各レーン２１に振り分けられる。図１の状態では仕切り壁５は搬送ベルト１の上に設けられているが、仕切り壁５をホッパー１の内部に設けることもできる。
【００１１】
ホッパー１は、図２に示すような形状のものであって、傾斜底面１１の低位側に円板状体混合物を搬送ベルトの各レーン２１に一枚づつ排出するための排出口１２を有する。この排出口１２の形成された傾斜底面１１と、搬送ベルト２の搬送面２２との間には、円板状体一枚分の厚み寸法より大きく二枚分の厚み寸法より小さい隙間が形成されているので、傾斜底面１１の裏側を円板状体が積み重なることなく一段に均されて搬送される。
【００１２】
また、搬送ベルト２の搬送面２２には、大径の円板状体の直径よりやや大きい間隔でもって隆起部２３が多数配置してある。隆起部２３の高さは円板状体の厚み以下としてあるので、隆起部２３は二段以上に積み重なった円板状体を押し上げることはできず円板状体を一段のみ押し上げる。したがって、排出口１２から排出された円板状体は、一枚のみが隆起部２３の間に入りこんで、搬送ベルト２の各レーン２１上を一段一列となって搬送ベルト２の送出側端部にまで搬送される。なお、レーン２１は一本のみとすることもできる。
【００１３】
搬送ベルト２の送出側端部には、弾発機構３が配設されている。弾発機構３の詳細を図３〜５により説明する。当該弾発機構３は、上下平行に配設された支持フレーム２８a、２８ｂに一対の可動体２５がレーン２１の数に対応して配設されたものである。可動体２５は、搬送ベルト２の搬送方向に直交する方向に延設された支持フレーム２８a、２８ｂに取付けられている。即ち、支持フレーム２８a、２８ｂには搬送方向と直交する方向に伸びる長孔２７が設けられ、この長孔２７内に可動体２５が摺動可能に立設され、コイルバネ２４で相互に接近する方向に付勢されている（図４ｃ）。
【００１４】
可動体２５は、可動軸２５aの下端に円板状体通過時の抵抗を低減するためのローラ２６が装着されたものである。可動体２５の間隔は最小径の円板状体の径より狭い幅としてあるので、円板状体が押し込まれた時に可動体２５は、その間隔を押し広げられることとなる。
【００１５】
搬送面２２には、円板状体が２段以上に積み重なって搬送された場合に、これを一段に均すための均し手段を設けることができる。この均し手段として、前記ホッパー１の傾斜底面１１を用いることができるし、ブラシや振り子を用いることができる。また、均し手段として、搬送面２２にフレームを配設することもできる。例えば、下側の支持フレーム２８ｂと搬送面２２との間に、円板状体一枚分の厚み寸法より大きく二枚分の厚み寸法よりも小さい隙間を設けることによって、下側の支持フレーム２８ｂを均し手段として用いることができる。これらの均し手段は、単独でまたは他の手段と併せて用いることができる。
【００１６】
搬送ベルト２上を搬送された円板状体は、隆起部２３の押圧によって可動体２５間に押し込まれて、円板状体の進行方向前半の外周縁により可動体２５を徐々に拡開する。そして、円板状体は図５に示すように、コイルバネ２４の付勢に抗して可動体２５を最大でその直径分だけ引き離すように拡開する。したがって、大径の円板状体は可動体２５を大きく拡開するが、小径の円板状体は大径の円板状体より小さくしか可動体を拡開することはできない。
【００１７】
円板状体の直径に相当する最大横幅部位が通過した後は、円板状体が可動体２５を押し広げる力が解除されるので、可動体２５は瞬時に元の状態に戻ろうとする。このとき可動体２５は円板状体の進行方向後半の外周縁を擦るように急激に縮幅されるので、円板状体は前に弾き飛ばされることとなる。この時円板状体には、可動体２５の拡開幅に対応する弾発力が付与されるので、大径の円板状体は遠くに弾き出され、小径の円板状体は近く弾き出される。よって、図３に示すように円板状体を径に対応する飛距離でもって弾き出すことができるので、異径の円板状体混合物を飛距離を変えて弾き出して高速且つ確実に選別することができる。円板状体混合物は、３種又はそれ以上の径が混じったものであっても、径に対応して高速且つ確実に選別することができる。
【００１８】
また、弾発機構３として、一方の支柱を移動不可能な固定体とし、他方を可動体２５としてこれらをコイルバネ２４で連結しても、固定体から拡開された可動体２５が円板状体を弾発するので、円板状体混合物を選別することができる。なお、固定体を、固定軸とすることができるし、固定軸にローラが装着されたものとすることもできる。
【００１９】
また、選別された円板状体を一旦受け皿等にて受け止め、これを搬送樋などで分別貯留タンクに搬送するようにして、この搬送樋の途中にフォトセンサーなどの計数手段を設けることによって、選別された円板状体の枚数を係数することができる。円板状体として、コインなどの遊技媒体を用いることができる。
【００２０】
以上のような選別装置において、搬送ベルトを遊技機設置島内に配設した遊技媒体回収装置に連結した場合には、異径の円板状体混合物を回収後直ちに選別することができる。
【００２１】
以上に述べたように本発明の選別装置は、異径の円板状体に径に対応する大きさの弾発力を付与して円板状体を弾き出すので、異径の円板状体を飛距離に差をつけて選別することができる。したがって、径が変わっても選別サイズを調整する必要がない。また、弾発機構に高速で円板状体混合物を送り込むことができるので、円板状体混合物を高速で選別できるという大きな利点がある。
【図面の簡単な説明】
【００２２】
【図１】円板状体混合物の選別装置の斜視図である。
【図２】選別装置のホッパー部分の側面の断面図である。
【図３】選別装置の側面図である。
【図４】選別装置の（ａ）正面図、（ｂ）平面図、（ｃ）側面図である。
【図５】可動体が異径の円板状体により拡開される状態を説明する平面図である。
【符号の説明】
【００２３】
１  ホッパー、２  搬送ベルト、３  弾発機構、４  分別貯留タンク、５  仕切り壁、
１１  傾斜底面、１２  排出口、２１  レーン、２２  搬送面、２３  隆起部、２４  コイルバネ、２５  可動体、２６  ローラ、２７  長孔、２８  支持フレーム
【図１】
2007068909.tif 000003
【図２】
2007068909.tif 000004
【図３】
2007068909.tif 000005
【図４】
2007068909.tif 000006
【図５】
2007068909.tif 000007